【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
第１のモノマーと第１の架橋剤とから誘導されるポリマーであって、
前記第１のモノマーは少なくとも２つのチオール官能基を含み、
前記第１の架橋剤は式Ｉの部分：
【化１】
2020530039.tif 000001
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
を含む、ポリマー。
【請求項２】
（ｉ）      ＷおよびＹがＳである、
（ｉｉ）    ＷがＳであり、ＹがＳ（Ｏ）である、 
（ｉｉｉ）  ＷおよびＹがＳｅである、
（ｉｖ）    ＷがＳｅであり、ＹがＳｅ（Ｏ）である、
（ｖ）      ＷがＳｅであり、ＹがＳである、
（ｖｉ）    ＷがＳであり、ＹがＳｅである、
（ｖｉｉ）  ＷがＳｅであり、ＹがＳ（Ｏ）である、または
（ｖｉｉｉ）ＷがＳであり、ＹがＳｅ（Ｏ）である、
請求項１に記載のポリマー。
【請求項３】
Ｘが−（ＣＲ１Ｒ２）ｎ−であり、ここでｎは１、２、３、４、５、６、７および８からなる群より選択される整数であり、
各ＣＲ１Ｒ２基上の各Ｒ１および各Ｒ２は、Ｈ、ＯＨ、ＮＯ２、ＣＮ、ＮＨ２、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、置換されていてもよいＣ１〜Ｃ１８ヘテロアリール、置換されていてもよいＣ１〜Ｃ１２アルキルオキシ、置換されていてもよいＣ２〜Ｃ１２アルケニルオキシ、置換されていてもよいＣ２〜Ｃ１２アルキニルオキシ、置換されていてもよいＣ２〜Ｃ１２ヘテロアルキルオキシ、置換されていてもよいＣ３〜Ｃ１２シクロアルキルオキシ、置換されていてもよいＣ３〜Ｃ１２シクロアルケニルオキシ、置換されていてもよいＣ１〜Ｃ１２ヘテロシクロアルキルオキシ、置換されていてもよいＣ２〜Ｃ１２ヘテロシクロアルケニルオキシ、置換されていてもよいＣ６〜Ｃ１８アリールオキシ、置換されていてもよいＣ１〜Ｃ１８ヘテロアリールオキシ、置換されていてもよいＣ１〜Ｃ１２アルキルアミノ、ＣＯＮＲ３Ｒ４、ＮＲ３ＣＯＲ４、ＮＲ３ＣＯＯＲ４、ＮＲ３ＳＯ２Ｒ４、ＮＲ３ＣＯＮＲ３Ｒ４、およびＮＲ３Ｒ４からなる群より独立して選択され、
各Ｒ３およびＲ４は、Ｈ、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ３〜Ｃ１２シクロアルケニル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、および置換されていてもよいＣ１〜Ｃ１８ヘテロアリールからなる群より独立して選択される、請求項１または２に記載のポリマー。
【請求項４】
ｎが３、４、５および６からなる群より選択される整数である、請求項３に記載のポリマー。
【請求項５】
各ＣＲ１Ｒ２基上の各Ｒ１および各Ｒ２が、Ｈ、ＯＨ、ＮＯ２、ＣＮ、ＮＨ２、置換されていてもよいＣ１〜Ｃ１２アルキル、置換されていてもよいＣ２〜Ｃ１２ヘテロアルキル、置換されていてもよいＣ３〜Ｃ１２シクロアルキル、置換されていてもよいＣ２〜Ｃ１２ヘテロシクロアルキル、置換されていてもよいＣ１〜Ｃ１２アルキルオキシ、置換されていてもよいＣ２〜Ｃ１２ヘテロアルキルオキシ、置換されていてもよいＣ３〜Ｃ１２シクロアルキルオキシ、および置換されていてもよいＣ１〜Ｃ１２ヘテロシクロアルキルオキシからなる群より独立して選択される、請求項３または４に記載のポリマー。
【請求項６】
各ＣＲ１Ｒ２基上の各Ｒ１および各Ｒ２が、Ｈ、ＯＨ、ＮＯ２、ＣＮ、ＮＨ２、置換されていてもよいＣ１〜Ｃ１２アルキル、置換されていてもよいＣ３〜Ｃ１２シクロアルキル、置換されていてもよいＣ１〜Ｃ１２アルキルオキシ、および置換されていてもよいＣ３〜Ｃ１２シクロアルキルオキシからなる群より独立して選択される、請求項５に記載のポリマー。
【請求項７】
前記第１の架橋剤が、
【化２】
2020530039.tif 000002
からなる群より選択される式Ｉの部分を含む、請求項１〜６のいずれか一項に記載のポリマー。
【請求項８】
（ａ）前記第１のモノマーが、ジチオール化合物、トリチオール化合物、テトラチオール化合物、およびチオマーからなる群より選択される、
（ｂ）前記第１のモノマーが、ジチオール化合物、トリチオール化合物、テトラチオール化合物、ヘキサチオール化合物、およびオクタチオール化合物からなる群より選択される、
（ｃ）前記第１のモノマーが、ジチオスレイトール（ＤＴＴ）、１，２−エタンジチオール、１，３−プロパンジチオール、１，４−ブタンジチオール、１，５−ペンタンジチオール、１，６−ヘキサンジチオール、１，７−ヘプタンジチオール、１，８−オクタンジチオール、１，９−ノナンジチオール、１，１０−デカンジチオール、１，１１−ウンデカンジチオール、１，１２−ドデカンジチオール、１，１３−トリデカンジチオール、１，１４−テトラデカンジチオール、１，１６−ヘキサデカンジチオール、ジチオールブチルアミン（ＤＴＢＡ）、テトラ（エチレングリコール）ジチオール、ヘキサ（エチレングリコール）ジチオール、２−メルカプトエチルエーテル、２，２’−チオジエタンチオール、２，２’−（エチレンジオキシ）ジエタンチオール、プロパン−１，２，３−トリチオール、トリメチロールプロパントリス（２−メルカプトアセタート）、トリメチロールプロパントリス（３−メルカプトアセタート）、３，３’，３”−（（（（１，３，５−トリアジン−２，４，６−トリイル）トリス（オキシ））トリス（プロパン−３，１−ジイル））トリス（スルファンジイル））トリス（プロパン−１−チオール）、４，４’，４”−（（（（１，３，５−トリアジン−２，４，６−トリイル）トリス（オキシ））トリス（プロパン−３，１−ジイル））トリス（スルファンジイル））−トリス（ブタン−１−チオール）、ペンタエリスリチルテトラチオール、ペンタエリスリトールテトラキス（３−メルカプトプロピオナート）、ジスルフィド結合を有するペプチド、およびジスルフィド結合を有するタンパク質からなる群より選択される、または
（ｄ）前記第１のモノマーが、ポリ（エチレングリコール）ジチオール、４ａｒｍ−ＰＥＧ２Ｋ−ＳＨ、４ａｒｍ−ＰＥＧ５Ｋ−ＳＨ、４ａｒｍ−ＰＥＧ１０Ｋ−ＳＨ、４ａｒｍ−ＰＥＧ２０Ｋ−ＳＨ、４アームポリ（エチレンオキシド）チオール末端、８ａｒｍ−ＰＥＧ１０Ｋ−ＳＨ（ヘキサグリセロールコア）、８ａｒｍ−ＰＥＧ１０Ｋ−ＳＨ（トリペンタエリスリトールコア）、８ａｒｍ−ＰＥＧ２０Ｋ−ＳＨ（ヘキサグリセロールコア）、８ａｒｍ−ＰＥＧ２０Ｋ−ＳＨ（トリペンタエリスリトールコア）、および８アームポリ（エチレンオキシド）チオール末端からなる群より選択される、
請求項１〜７のいずれか一項に記載のポリマー。
【請求項９】
前記第１のモノマーが、ジスルフィド結合を有するペプチドまたはジスルフィド結合を有するタンパク質である、請求項８に記載のポリマー。
【請求項１０】
前記第１のモノマーが、銅／亜鉛スーパーオキシドジスムターゼ（ＳＯＤ１）変異体、ＤＪ−１変異体、エフェクターカスパーゼ、および鉄硫黄クラスターアセンブリ酵素（ＩｓｃＵ）からなる群より選択されるジスルフィド結合を有するタンパク質である、請求項９に記載のポリマー。
【請求項１１】
前記第１のモノマーが家族性筋萎縮性側索硬化症（ｆＡＬＳ）−ＳＯＤ１変異体である、請求項１０に記載のポリマー。
【請求項１２】
分子を共有結合させる方法であって、
式Ｉの部分：
【化３】
2020530039.tif 000003
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）を含む複数の第１の分子を提供すること、
前記第１の分子を、少なくとも１つのチオール官能基を含む複数の第２の分子と接触させ、それによって前記第１の分子のＳまたはＳｅ原子と前記第２の分子の遊離チオール基との間に複数の共有結合を形成すること
を含む方法。
【請求項１３】
物体、デバイス、またはアセンブリの表面をコーティングする方法であって、
（ａ）物体、デバイス、またはアセンブリの表面を提供すること、
（ｂ）前記表面を、反応性部分と式Ｉの部分：
【化４】
2020530039.tif 000004
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
とを含む複数の第１の分子と接触させ、それによって前記表面と前記第１の分子の反応性部分との間に複数の共有結合を形成して、第１の単分子層を形成すること
を含む方法。
【請求項１４】
（ｃ）前記単分子層を、少なくとも１つのチオール官能基を含む第２の分子と接触させ、それによって前記第１の分子のＳまたはＳｅ原子と前記第２の分子の遊離チオール基との間に複数の共有結合が形成された第１の二分子層を形成することをさらに含む、請求項１３に記載の方法。
【請求項１５】
（ｄ）電位を印加し、それによって共有結合を還元して第２の単分子層を形成することをさらに含む、請求項１４に記載の方法。
【請求項１６】
（ｅ）水および複数の金属イオンを含む水性混合物を提供し、それによって複数の金属イオンにキレートした第２の単分子層の複数の金属キレート基を含む錯体を形成して、第２の二分子層を形成することをさらに含む、請求項１５に記載の方法。
【請求項１７】
（ｆ）前記第２の二分子層を、式Ｉの部分：
【化５】
2020530039.tif 000005
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
を含む複数の第３の分子と接触させ、それによって複数の第３の分子が複数の金属イオンにキレートした三分子層を形成することをさらに含む、請求項１６に記載の方法。
【請求項１８】
（ｉ）      ＷおよびＹがＳである、
（ｉｉ）    ＷがＳであり、ＹがＳ（Ｏ）である、
（ｉｉｉ）  ＷおよびＹがＳｅである、
（ｉｖ）    ＷがＳｅであり、ＹがＳｅ（Ｏ）である、
（ｖ）      ＷがＳｅであり、ＹがＳである、
（ｖｉ）    ＷがＳであり、ＹがＳｅである、
（ｖｉｉ）  ＷがＳｅであり、ＹがＳ（Ｏ）である、または
（ｖｉｉｉ）ＷがＳであり、ＹがＳｅ（Ｏ）である、
請求項１２〜１７のいずれか一項に記載の方法。
【請求項１９】
Ｘが−（ＣＲ１Ｒ２）ｎ−であり、ここでｎは１、２、３、４、５、６、７および８からなる群より選択される整数であり、
各ＣＲ１Ｒ２基上の各Ｒ１および各Ｒ２は、Ｈ、ＯＨ、ＮＯ２、ＣＮ、ＮＨ２、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、置換されていてもよいＣ１〜Ｃ１８ヘテロアリール、置換されていてもよいＣ１〜Ｃ１２アルキルオキシ、置換されていてもよいＣ２〜Ｃ１２アルケニルオキシ、置換されていてもよいＣ２〜Ｃ１２アルキニルオキシ、置換されていてもよいＣ２〜Ｃ１２ヘテロアルキルオキシ、置換されていてもよいＣ３〜Ｃ１２シクロアルキルオキシ、置換されていてもよいＣ３〜Ｃ１２シクロアルケニルオキシ、置換されていてもよいＣ１〜Ｃ１２ヘテロシクロアルキルオキシ、置換されていてもよいＣ２〜Ｃ１２ヘテロシクロアルケニルオキシ、置換されていてもよいＣ６〜Ｃ１８アリールオキシ、置換されていてもよいＣ１〜Ｃ１８ヘテロアリールオキシ、置換されていてもよいＣ１〜Ｃ１２アルキルアミノ、ＣＯＮＲ３Ｒ４、ＮＲ３ＣＯＲ４、ＮＲ３ＣＯＯＲ４、ＮＲ３ＳＯ２Ｒ４、ＮＲ３ＣＯＮＲ３Ｒ４、およびＮＲ３Ｒ４からなる群より独立して選択され、
各Ｒ３およびＲ４は、Ｈ、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ３〜Ｃ１２シクロアルケニル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、および置換されていてもよいＣ１〜Ｃ１８ヘテロアリールからなる群より独立して選択される、請求項１２〜１８のいずれか一項に記載の方法。
【請求項２０】
前記第１の分子が、
【化６】
2020530039.tif 000006
からなる群より選択される式Ｉの部分を含む、請求項１２〜１９のいずれか一項に記載の方法。
【請求項２１】
（ａ）前記第２の分子が、（１１−メルカプトウンデシル）−Ｎ、Ｎ、Ｎ−トリメチルアンモニウムブロミド、（１１−メルカプトウンデシル）ヘキサ（エチレングリコール）、（１１−メルカプトウンデシル）テトラ（エチレングリコール）、１−（１１−メルカプトウンデシル）イミダゾール、１−メルカプト−２−プロパノール、１１−（１Ｈ−ピロール−１−イル）ウンデカン−１−チオール、１１−（フェロセニル）ウンデカンチオール、１１−アミノ−１−ウンデカンチオール塩酸塩、１１−アジド−１−ウンデカンチオール、１１−メルカプト−１−ウンデカノール、１１−メルカプトウンデカンアミド、１１−メルカプトウンデカン酸、１１−メルカプトウンデシルヒドロキノン、１１−メルカプトウンデシルホスホン酸、１２−メルカプトドデカン酸、１６−アミノ−１−ヘキサデカンチオール塩酸塩、１６−メルカプトヘキサデカンアミド、１６−メルカプトヘキサデカン酸、３−アミノ−１−プロパンチオール塩酸塩、３−クロロ−１−プロパンチオール、３−メルカプト−１−プロパノール、３−メルカプトプロピオン酸、４−メルカプト−１−ブタノール、６−（フェロセニル）ヘキサンチオール、６−アミノ−１−ヘキサンチオール塩酸塩、６−メルカプト−１−ヘキサノール、６−メルカプトヘキサン酸、８−アミノ−１−オクタンチオール塩酸塩、８−メルカプト−１−オクタノール、８−メルカプトオクタン酸、９−メルカプト−１−ノナノール、トリエチレングリコールモノ−１１−メルカプトウンデシルエーテル、１−メルカプトコハク酸、システイン残基を有するペプチド、システイン残基を有するタンパク質、システアミン、１−チオヘキシトール、ポリ（エチレングリコール）２−メルカプトエチルエーテル酢酸、ポリ（エチレングリコール）メチルエーテルチオール、１−チオグリセロール、２−ナフタレンチオール、ビフェニル−４−チオール、３−アミノ−１，２，４−トリアゾール−５−チオール、５−（トリフルオロメチル）ピリジン−２−チオール、１−［２−（ジメチルアミノ）エチル］−１Ｈ−テトラゾール−５−チオール、１−プロパンチオール、１−ブタンチオール、１−ペンタンチオール、１−ヘキサンチオール、１−オクタンチオール、３，３，４，４，５，５，６，６，７，７，８，８，８−トリデカフルオロ−１−オクタンチオール、およびγ−Ｇｌｕ−Ｃｙｓからなる群より選択される、
（ｂ）前記第２の分子が、ジチオール化合物、トリチオール化合物、テトラチオール化合物、およびチオマーからなる群より選択される、
（ｃ）前記第２の分子が、ジチオール化合物、トリチオール化合物、テトラチオール化合物、ヘキサチオール化合物、およびオクタチオール化合物からなる群より選択される、
（ｄ）前記第２の分子が、ＤＴＴ、１，２−エタンジチオール、１，３−プロパンジチオール、１，４−ブタンジチオール、１，５−ペンタンジチオール、１，６−ヘキサンジチオール、１，７−ヘプタンジチオール、１，８−オクタンジチオール、１，９−ノナンジチオール、１、１０−デカンジチオール、１，１１−ウンデカンジチオール、１，１２−ドデカンジチオール、１，１３−トリデカンジチオール、１，１４−テトラデカンジチオール、１，１６−ヘキサデカンジチオール、ＤＴＢＡ、テトラ（エチレングリコール）ジチオール、ヘキサ（エチレングリコール）ジチオール、２−メルカプトエチルエーテル、２，２’−チオジエタンチオール、２，２’−（エチレンジオキシ）ジエタンチオール、プロパン−１，２，３−トリチオール、トリメチロールプロパントリス（２−メルカプトアセタート）、トリメチロールプロパントリス（３−メルカプトアセタート）、３，３’，３”−（（（（１，３，５−トリアジン−２，４、６−トリイル）トリス（オキシ））トリス（プロパン−３，１−ジイル））トリス（スルファンジイル））トリス（プロパン−１−チオール）、４，４’，４”−（（（（１，３、５−トリアジン−２，４，６−トリイル）トリス（オキシ））トリス（プロパン−３，１−ジイル））トリス（スルファンジイル））トリス（ブタン−１−チオール）、ペンタエリスリチルテトラチオール、ペンタエリスリトールテトラキス（３−メルカプトプロピオナート）、ジスルフィド結合を有するペプチド、およびジスルフィド結合を有するタンパク質からなる群より選択される、または
（ｅ）前記第２の分子が、ポリ（エチレングリコール）ジチオール、４ａｒｍ−ＰＥＧ２Ｋ−ＳＨ、４ａｒｍ−ＰＥＧ５Ｋ−ＳＨ、４ａｒｍ−ＰＥＧ１０Ｋ−ＳＨ、４ａｒｍ−ＰＥＧ２０Ｋ−ＳＨ、４アームポリ（エチレンオキシド）チオール末端、８ａｒｍ−ＰＥＧ１０Ｋ−ＳＨ（ヘキサグリセロールコア）、８ａｒｍ−ＰＥＧ１０Ｋ−ＳＨ（トリペンタエリスリトールコア）、８ａｒｍ−ＰＥＧ２０Ｋ−ＳＨ（ヘキサグリセロールコア）、８ａｒｍ−ＰＥＧ２０Ｋ−ＳＨ（トリペンタエリスリトールコア）、および８アームポリ（エチレンオキシド）チオール末端からなる群より選択される、請求項１２、および１４〜２０のいずれか一項に記載の方法。
【請求項２２】
基材およびコーティング材を含む組成物であって、前記コーティング材は、複数の式Ｉの部分：
【化７】
2020530039.tif 000007
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
を含む第１の単分子層を含み、前記コーティング材は前記基材に共有結合している、組成物。
【請求項２３】
前記コーティング材が、式Ｉの部分と少なくとも１つのチオール官能基を含む複数の第１のモノマーとから誘導されるポリマーを含む第１の二分子層を含み、前記複数の式Ｉの部分のＳまたはＳｅ原子と前記第１のモノマーの遊離チオール基との間に複数の共有結合が形成される、請求項２２に記載の組成物。
【請求項２４】
前記コーティング材が、前記複数の式Ｉの部分の還元形態を含む第２の単分子層を含む、請求項２３に記載の組成物。
【請求項２５】
前記コーティング材が、複数の金属イオンにキレートした前記第２の単分子層の複数の金属キレート基を含む第２の二分子層を含む、請求項２４に記載の組成物。
【請求項２６】
前記複数の金属キレート基がＳ原子またはＳｅ原子である、請求項２５に記載の組成物。
【請求項２７】
前記複数の金属イオンが複数の金属カチオンである、請求項２２〜２６のいずれか一項に記載の組成物。
【請求項２８】
前記金属カチオンが＋１、＋２、または＋３の電荷を有する、請求項２７に記載の組成物。
【請求項２９】
（ａ）前記金属カチオンが、＋１の電荷を有するＡｇまたはＡｕのカチオンである、
（ｂ）前記金属カチオンが、＋２の電荷を有するＣａ、Ｃｄ、Ｃｏ、Ｃｒ、Ｃｕ、Ｅｒ、Ｆｅ、Ｈｇ、Ｍｇ、Ｍｎ、Ｎｂ、Ｎｉ、Ｐｂ、Ｐｄ、Ｓｃ、Ｓｎ、Ｓｒ、Ｖ、またはＺｎのカチオンである、あるいは
（ｃ）前記金属カチオンが、＋３の電荷を有するＡｕ、Ｃｅ、Ｄｙ、Ｅｒ、Ｅｕ、Ｆｅ、Ｇｄ、Ｈｏ、Ｌａ、Ｌｕ、Ｎｂ、Ｎｄ、Ｐｍ、Ｐｒ、Ｓｍ、Ｔｂ、Ｔｍ、またはＹｂのカチオンである、請求項２８に記載の組成物。
【請求項３０】
前記コーティング材が、複数の金属イオンにキレートした複数の第３の分子をさらに含む三分子層を含み、前記第３の分子は式Ｉの部分：
【化８】
2020530039.tif 000008
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
を含む、請求項２２〜２９のいずれか一項に記載の組成物。
【請求項３１】
前記第１の単分子層が、
【化９】
2020530039.tif 000009
からなる群より選択される複数の部分を含む、請求項２２〜３０のいずれか一項に記載の組成物。
【請求項３２】
細胞膜を横切って目的分子を輸送するための組成物であって、式Ｉの部分を含む官能基化された目的分子を含み、
【化１０】
2020530039.tif 000010
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
式Ｉの部分が１つまたは複数の細胞膜輸送タンパク質に可逆的に結合する条件下で、目的細胞を前記官能基化された目的分子と接触させ、それによって細胞膜を横切る目的分子の輸送を促進させる、組成物。
【請求項３３】
前記官能基化された分子が、
【化１１】
2020530039.tif 000011
からなる群より選択される式Ｉの部分を含む、請求項３２に記載の組成物。
【請求項３４】
ケラチン含有物質を処理する方法であって、
ｉ）複数のジスルフィド結合を含むケラチン含有物質サンプルである複数の第１のモノマーを提供すること、
ｉｉ）前記ケラチン含有物質サンプルに、約０．１質量％〜約１５質量％の濃度の還元剤を含む混合物を所定の期間適用し、それによって複数の遊離チオール基を含む還元ケラチン含有物質サンプルを作製すること、
ｉｉｉ）式Ｉの部分：
【化１２】
2020530039.tif 000012
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
を含む第１の架橋剤を前記還元ケラチン含有物質サンプルに適用し、それによって遊離チオール基と第１の架橋剤との間に複数の共有結合を形成すること
を含む方法。
【請求項３５】
前記還元剤が、チオグリコール酸アンモニウム、Ｌ−システイン、グルタチオン、アスコルビン酸、β−メルカプトエタノール、２−メルカプトエチルアミン、２−メルカプトエチルアミン塩酸塩、ジチオスレイトール（ＤＴＴ）、チオ乳酸、チオサリチル酸、トリス−２−カルボキシエチルホスフィン塩酸塩（ＴＣＥＰ）、次亜硫酸ナトリウム、チオ硫酸ナトリウム、二亜硫酸カリウム、二亜硫酸ナトリウム、硫酸水素ナトリウム、亜硫酸水素ナトリウム、亜硫酸水素アンモニウム、チオグリコール酸、チオグリコール酸カルシウム、チオグリコール酸カリウム、チオグリコール酸ナトリウム、システイン塩酸塩、チオ乳酸アンモニウム、チオグリセリン、メルカプトプロピオン酸、チオグリコール酸グリセリルおよびジチオールブチルアミン（ＤＴＢＡ）からなる群より選択される、請求項３４に記載の方法。
【請求項３６】
ケラチン含有物質を処理する方法であって、
ｉ）複数のジスルフィド結合を含むケラチン含有物質サンプルである複数の第１のモノマーを提供すること、
ｉｉ）前記ケラチン含有物質サンプルに、式Ｉの部分：
【化１３】
2020530039.tif 000013
（式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する）
を含む第１の架橋剤を含有する混合物を所定の期間適用し、それによって複数の遊離チオール基を形成し、それが第１の架橋剤と反応して遊離チオール基と第１の架橋剤との間に複数の共有結合を形成すること
を含む方法。
【請求項３７】
前記ケラチン含有物質が、毛髪、眉毛、まつげ、指の爪、および足の爪からなる群より選択される、請求項３４〜３６のいずれか一項に記載の方法。
【手続補正２】
【補正対象書類名】明細書
【補正対象項目名】００２１
【補正方法】変更
【補正の内容】
【００２１】
第５の態様の一例では、カルボキシ部分を使用してβ−リポ酸を表面に結合させることができる。これにより、（電子が適用される前に）官能基化ジチオール（functionalized dithiol）とクリック反応を行って二分子層（すなわち、第１の二分子層）を形成することができる電気化学的に活性な単分子層（すなわち、第１の単分子層）が形成される。一部の実施形態では、第１の二分子層は半導体である。電子が適用された後、ジスルフィド結合が還元されて単分子層（すなわち、第２の単分子層）を作成することができる。一部の実施形態では、第２の単分子層は、金属をキレート化して二分子層（すなわち、第２の二分子層）を形成する。一部の実施形態では、第２の二分子層は、キレート化された金属の正体（identity）によって調整可能なＰ−Ｎギャップを有する半導体である。金属層に対して、三分子層用に、式Ｉの部分を含む複素環（例えば、環状ジスルフィドまたは環状チオスルフィナート）の第３の層がくる。一部の実施形態では、三分子層の形成は、金属の酸化還元状態に依存し、これは印加電圧によって制御することができる。一部の実施形態では、三分子層システムは電池である。一部の実施形態において、環状チオスルフィナートは、第二世代のリチウムイオン電池で使用されるＳ８と同様に作用する。
【手続補正３】
【補正対象書類名】明細書
【補正対象項目名】００２４
【補正方法】変更
【補正の内容】
【００２４】
トランスフェリン受容体のＣｙｓへの可逆的な環状ジスルフィドの結合はこれまで、薬物カーゴ送達（drug cargo delivery）などの細胞膜を横切る輸送に利用されてきた。これに基づき、式Ｉの化合物は同様の用途に使用することができる。したがって、第６の態様において、本明細書は、細胞膜を通って目的分子を輸送する方法を提供し、その方法は、
（ａ）式Ｉの部分を含む官能基化された目的分子（functionalized molecule of interest）を提供する：
【化７】
2020530039.tif 000014
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
（ｂ）前記式Ｉの部分が１つ以上の細胞膜輸送タンパク質に可逆的に結合する条件下で、目的細胞を前記官能基化された目的分子と接触させ、
それによって細胞膜を横切る目的分子の輸送を促進する
ことを含む。
【手続補正４】
【補正対象書類名】明細書
【補正対象項目名】００３５
【補正方法】変更
【補正の内容】
【００３５】
したがって、本明細書では、細胞膜を横切って目的分子を輸送する方法も提供し、その方法は、
（ａ）式Ｉの部分を含む官能基化された目的分子を提供する： 
【化９】
2020530039.tif 000015
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
（ｂ）式Ｉの部分が１つまたは複数の細胞膜輸送タンパク質に可逆的に結合する条件下で、目的細胞を官能基化された目的分子と接触させ、
それによって細胞膜を横切る目的分子の輸送を促進させる
ことを含む。
【手続補正５】
【補正対象書類名】明細書
【補正対象項目名】０１８１
【補正方法】変更
【補正の内容】
【０１８１】
本発明は、その使用が記載された特定の用途に限定されないことを当業者は理解するであろう。本発明は、本明細書に記載または図示された特定の要素および／または特徴に関して、その好ましい実施形態において制限されない。本発明は、開示された１つまたは複数の実施形態に限定されず、特許請求の範囲に記載および規定される本発明の範囲から逸脱することなく、多数の再配置、修正および置換が可能である。
最後に、本発明の好ましい実施態様を項分け記載する。
［実施態様１］
少なくとも２つのチオール官能基を含む第１のモノマーと、式Ｉの部分を含む第１の架橋剤とから誘導されるポリマー：
【化３９】
2020530039.tif 000016
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する。
［実施態様２］
前記第１のモノマーが、ジチオール化合物、トリチオール化合物、テトラチオール化合物、およびチオマーからなる群より選択される、実施態様１に記載のポリマー。
［実施態様３］
前記第１のモノマーが、ジチオール化合物、トリチオール化合物、テトラチオール化合物、ヘキサチオール化合物、およびオクタチオール化合物からなる群より選択される、実施態様１に記載のポリマー。
［実施態様４］
前記第１のモノマーが、ジチオスレイトール（ＤＴＴ）、１，２−エタンジチオール、１，３−プロパンジチオール、１，４−ブタンジチオール、１，５−ペンタンジチオール、１，６−ヘキサンジチオール、１，７−ヘプタンジチオール、１，８−オクタンジチオール、１，９−ノナンジチオール、１，１０−デカンジチオール、１，１１−ウンデカンジチオール、１，１２−ドデカンジチオール、１，１３−トリデカンジチオール、１，１４−テトラデカンジチオール、１，１６−ヘキサデカンジチオール、ジチオールブチルアミン（ＤＴＢＡ）、テトラ（エチレングリコール）ジチオール、ヘキサ（エチレングリコール）ジチオール、２−メルカプトエチルエーテル、２，２’−チオジエタンチオール、２，２’−（エチレンジオキシ）ジエタンチオール、プロパン−１，２，３−トリチオール、トリメチロールプロパントリス（２−メルカプトアセタート）、トリメチロールプロパントリス（３−メルカプトアセタート）、３，３’，３”−（（（（１，３，５−トリアジン−２，４，６−トリイル）トリス（オキシ））トリス（プロパン−３，１−ジイル））トリス（スルファンジイル））トリス（プロパン−１−チオール）、４，４’，４”−（（（（１，３，５−トリアジン−２，４，６−トリイル）トリス（オキシ））トリス（プロパン−３，１−ジイル））トリス（スルファンジイル））−トリス（ブタン−１−チオール）、ペンタエリスリチルテトラチオール、ペンタエリスリトールテトラキス（３−メルカプトプロピオナート）、ジスルフィド結合を有するペプチド、およびジスルフィド結合を有するタンパク質からなる群より選択される、実施態様１〜３のいずれかに記載のポリマー。
［実施態様５］
前記第１のモノマーが、ポリ（エチレングリコール）ジチオール、４ａｒｍ−ＰＥＧ２Ｋ−ＳＨ、４ａｒｍ−ＰＥＧ５Ｋ−ＳＨ、４ａｒｍ−ＰＥＧ１０Ｋ−ＳＨ、４ａｒｍ−ＰＥＧ２０Ｋ−ＳＨ、４アームポリ（エチレンオキシド）チオール末端、８ａｒｍ−ＰＥＧ１０Ｋ−ＳＨ（ヘキサグリセロールコア）、８ａｒｍ−ＰＥＧ１０Ｋ−ＳＨ（トリペンタエリスリトールコア）、８ａｒｍ−ＰＥＧ２０Ｋ−ＳＨ（ヘキサグリセロールコア）、８ａｒｍ−ＰＥＧ２０Ｋ−ＳＨ（トリペンタエリスリトールコア）、および８アームポリ（エチレンオキシド）チオール末端からなる群より選択される、実施態様１〜３のいずれかに記載のポリマー。
［実施態様６］
前記第１のモノマーが、ジスルフィド結合を有するペプチドまたはジスルフィド結合を有するタンパク質である、実施態様１に記載のポリマー。
［実施態様７］
前記第１のモノマーが、銅／亜鉛スーパーオキシドジスムターゼ（ＳＯＤ１）変異体、ＤＪ−１変異体、エフェクターカスパーゼ、および鉄硫黄クラスターアセンブリ酵素（ＩｓｃＵ）からなる群より選択されるジスルフィド結合を有するタンパク質である、実施態様６に記載のポリマー。
［実施態様８］
前記第１のモノマーが家族性筋萎縮性側索硬化症（ｆＡＬＳ）−ＳＯＤ１変異体である、実施態様７に記載のポリマー。
［実施態様９］
ＷおよびＹがＳである、実施態様１〜８のいずれかに記載のポリマー。
［実施態様１０］
ＷがＳであり、ＹがＳ（Ｏ）である、実施態様１〜８のいずれかに記載のポリマー。 
［実施態様１１］
ＷおよびＹがＳｅである、実施態様１〜８のいずれかに記載のポリマー。
［実施態様１２］
ＷがＳｅであり、ＹがＳｅ（Ｏ）である、実施態様１〜８のいずれかに記載のポリマー。
［実施態様１３］
ＷがＳｅであり、ＹがＳである、実施態様１〜８のいずれかに記載のポリマー。
［実施態様１４］
ＷがＳであり、ＹがＳｅである、実施態様１〜８のいずれかに記載のポリマー。
［実施態様１５］
ＷがＳｅであり、ＹがＳ（Ｏ）である、実施態様１〜８のいずれかに記載のポリマー。
［実施態様１６］
ＷがＳであり、ＹがＳｅ（Ｏ）である、実施態様１〜８のいずれかに記載のポリマー。
［実施態様１７］
Ｘが−（ＣＲ１Ｒ２）ｎ−であり、ここでｎは１、２、３、４、５、６、７および８からなる群より選択される整数であり、
各ＣＲ１Ｒ２基上の各Ｒ１および各Ｒ２は、Ｈ、ＯＨ、ＮＯ２、ＣＮ、ＮＨ２、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、置換されていてもよいＣ１〜Ｃ１８ヘテロアリール、置換されていてもよいＣ１〜Ｃ１２アルキルオキシ、置換されていてもよいＣ２〜Ｃ１２アルケニルオキシ、置換されていてもよいＣ２〜Ｃ１２アルキニルオキシ、置換されていてもよいＣ２〜Ｃ１２ヘテロアルキルオキシ、置換されていてもよいＣ３〜Ｃ１２シクロアルキルオキシ、置換されていてもよいＣ３〜Ｃ１２シクロアルケニルオキシ、置換されていてもよいＣ１〜Ｃ１２ヘテロシクロアルキルオキシ、置換されていてもよいＣ２〜Ｃ１２ヘテロシクロアルケニルオキシ、置換されていてもよいＣ６〜Ｃ１８アリールオキシ、置換されていてもよいＣ１〜Ｃ１８ヘテロアリールオキシ、置換されていてもよいＣ１〜Ｃ１２アルキルアミノ、ＣＯＮＲ３Ｒ４、ＮＲ３ＣＯＲ４、ＮＲ３ＣＯＯＲ４、ＮＲ３ＳＯ２Ｒ４、ＮＲ３ＣＯＮＲ３Ｒ４、およびＮＲ３Ｒ４からなる群より独立して選択され、
各Ｒ３およびＲ４は、Ｈ、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ３〜Ｃ１２シクロアルケニル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、および置換されていてもよいＣ１〜Ｃ１８ヘテロアリールからなる群より独立して選択される、実施態様１〜１６のいずれかに記載のポリマー。
［実施態様１８］
ｎが３、４、５および６からなる群より選択される整数である、実施態様１７に記載のポリマー。
［実施態様１９］
各ＣＲ１Ｒ２基上の各Ｒ１および各Ｒ２が、Ｈ、ＯＨ、ＮＯ２、ＣＮ、ＮＨ２、置換されていてもよいＣ１〜Ｃ１２アルキル、置換されていてもよいＣ２〜Ｃ１２ヘテロアルキル、置換されていてもよいＣ３〜Ｃ１２シクロアルキル、置換されていてもよいＣ２〜Ｃ１２ヘテロシクロアルキル、置換されていてもよいＣ１〜Ｃ１２アルキルオキシ、置換されていてもよいＣ２〜Ｃ１２ヘテロアルキルオキシ、置換されていてもよいＣ３〜Ｃ１２シクロアルキルオキシ、および置換されていてもよいＣ１〜Ｃ１２ヘテロシクロアルキルオキシからなる群より独立して選択される、実施態様１７または１８に記載のポリマー。
［実施態様２０］
各ＣＲ１Ｒ２基上の各Ｒ１および各Ｒ２が、Ｈ、ＯＨ、ＮＯ２、ＣＮ、ＮＨ２、置換されていてもよいＣ１〜Ｃ１２アルキル、置換されていてもよいＣ３〜Ｃ１２シクロアルキル、置換されていてもよいＣ１〜Ｃ１２アルキルオキシ、および置換されていてもよいＣ３〜Ｃ１２シクロアルキルオキシからなる群より独立して選択される、実施態様１７〜１９のいずれかに記載のポリマー。
［実施態様２１］
前記第１の架橋剤が、
【化４０】
2020530039.tif 000017
からなる群より選択される式Ｉの部分を含む、実施態様１〜８および１７〜２０のいずれかに記載のポリマー。
［実施態様２２］
分子を共有結合する方法であって、
式Ｉの部分を含む複数の第１の分子を提供し：
【化４１】
2020530039.tif 000018
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
前記第１の分子を、少なくとも１つのチオール官能基を含む複数の第２の分子と接触させ、
それによって前記第１の分子のＳまたはＳｅ原子と前記第２の分子の遊離チオール基との間に複数の共有結合を形成する
ことを含む方法。
［実施態様２３］
物体、デバイス、またはアセンブリの表面をコーティングする方法であって、
（ａ）物体、デバイス、またはアセンブリの表面を提供する；
（ｂ）前記表面を、反応性部分と式Ｉの部分とを含む複数の第１の分子と接触させ：
【化４２】
2020530039.tif 000019
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
それによって前記表面と前記第１の分子の反応性部分との間に複数の共有結合を形成して、第１の単分子層を形成する
ステップを含む方法。
［実施態様２４］
（ｃ）前記単分子層を、少なくとも１つのチオール官能基を含む第２の分子と接触させ、それによって、前記第１の分子のＳまたはＳｅ原子と前記第２の分子の遊離チオール基との間に複数の共有結合が形成された第１の二分子層を形成することをさらに含む、実施態様２３に記載の方法。
［実施態様２５］
（ｄ）電位を印加し、それによって共有結合を還元して、第２の単分子層を形成することをさらに含む、実施態様２４に記載の方法。
［実施態様２６］
（ｆ）水および複数の金属イオンを含む水性混合物を提供し、それによって複数の金属イオンにキレートした第２の単分子層の複数の金属キレート基を含む錯体を形成して、第２の二分子層を形成することをさらに含む、実施態様２５に記載の方法。
［実施態様２７］
前記複数の金属キレート基がＳ原子である、実施態様２６に記載の方法。
［実施態様２８］
前記複数の金属キレート基がＳｅ原子である、実施態様２７に記載の方法。
［実施態様２９］
前記複数の金属イオンが複数の金属カチオンである、実施態様２６〜２８のいずれかに記載の方法。
［実施態様３０］
前記金属カチオンが＋１の電荷を有する、実施態様２９に記載の方法。
［実施態様３１］
前記金属カチオンがＡｇまたはＡｕのカチオンである、実施態様３０に記載の方法。
［実施態様３２］
前記金属カチオンが＋２の電荷を有する、実施態様２９に記載の方法。
［実施態様３３］
前記金属カチオンが、Ｃａ、Ｃｄ、Ｃｏ、Ｃｒ、Ｃｕ、Ｅｒ、Ｆｅ、Ｈｇ、Ｍｇ、Ｍｎ、Ｎｂ、Ｎｉ、Ｐｂ、Ｐｄ、Ｓｃ、Ｓｎ、Ｓｒ、Ｖ、またはＺｎのカチオンである、実施態様３２に記載の方法。
［実施態様３４］
前記金属カチオンが＋３の電荷を有する、実施態様２９に記載の方法。
［実施態様３５］
金属カチオンが、Ａｕ、Ｃｅ、Ｄｙ、Ｅｒ、Ｅｕ、Ｆｅ、Ｇｄ、Ｈｏ、Ｌａ、Ｌｕ、Ｎｂ、Ｎｄ、Ｐｍ、Ｐｒ、Ｓｍ、Ｔｂ、Ｔｍ、またはＹｂのカチオンである、実施態様３４に記載の方法。
［実施態様３６］
（ｆ）前記第２の二分子層を、式Ｉの部分を含む複数の第３の分子と接触させ：
【化４３】
2020530039.tif 000020
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
それによって複数の第３の分子が前記複数の金属イオンにキレートした三分子層を形成することをさらに含む、実施態様２６〜３５のいずれかに記載の方法。
［実施態様３７］
ＷおよびＹがＳである、実施態様２２〜３６のいずれかに記載の方法。
［実施態様３８］
ＷがＳであり、ＹがＳ（Ｏ）である、実施態様２２〜３６のいずれかに記載の方法。
［実施態様３９］
ＷおよびＹがＳｅである、実施態様２２〜３６のいずれかに記載の方法。
［実施態様４０］
ＷがＳｅであり、ＹがＳｅ（Ｏ）である、実施態様２２〜３６のいずれかに記載の方法。
［実施態様４１］
ＷがＳｅであり、ＹがＳである、実施態様２２〜３６のいずれかに記載の方法。
［実施態様４２］
ＷがＳであり、ＹがＳｅである、実施態様２２〜３６のいずれかに記載の方法。
［実施態様４３］
ＷがＳｅであり、ＹがＳ（Ｏ）である、実施態様２２〜３６のいずれかに記載の方法。
［実施態様４４］
ＷがＳであり、ＹがＳｅ（Ｏ）である、実施態様２２〜３６のいずれかに記載の方法。
［実施態様４５］
Ｘが−（ＣＲ１Ｒ２）ｎ−であり、ｎが１、２、３、４、５、６、７および８からなる群より選択される整数であり、
各ＣＲ１Ｒ２基上の各Ｒ１および各Ｒ２は、Ｈ、ＯＨ、ＮＯ２、ＣＮ、ＮＨ２、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、置換されていてもよいＣ１〜Ｃ１８ヘテロアリール、置換されていてもよいＣ１〜Ｃ１２アルキルオキシ、置換されていてもよいＣ２〜Ｃ１２アルケニルオキシ、置換されていてもよいＣ２〜Ｃ１２アルキニルオキシ、置換されていてもよいＣ２〜Ｃ１２ヘテロアルキルオキシ、置換されていてもよいＣ３〜Ｃ１２シクロアルキルオキシ、置換されていてもよいＣ３〜Ｃ１２シクロアルケニルオキシ、置換されていてもよいＣ１〜Ｃ１２ヘテロシクロアルキルオキシ、置換されていてもよいＣ２〜Ｃ１２ヘテロシクロアルケニルオキシ、置換されていてもよいＣ６〜Ｃ１８アリールオキシ、置換されていてもよいＣ１〜Ｃ１８ヘテロアリールオキシ、置換されていてもよいＣ１〜Ｃ１２アルキルアミノ、ＣＯＮＲ３Ｒ４、ＮＲ３ＣＯＲ４、ＮＲ３ＣＯＯＲ４、ＮＲ３ＳＯ２Ｒ４、ＮＲ３ＣＯＮＲ３Ｒ４、およびＮＲ３Ｒ４からなる群より独立して選択され、
ここで、各Ｒ３およびＲ４は、Ｈ、置換されていてもよいＣ１〜Ｃ１２アルキル、置換されていてもよいＣ２〜Ｃ１２アルケニル、置換されていてもよいＣ２〜Ｃ１２アルキニル、置換されていてもよいＣ２〜Ｃ１２ヘテロアルキル、置換されていてもよいＣ３〜Ｃ１２シクロアルキル、置換されていてもよいＣ３〜Ｃ１２シクロアルケニル、置換されていてもよいＣ２〜Ｃ１２ヘテロシクロアルキル、置換されていてもよいＣ２〜Ｃ１２ヘテロシクロアルケニル、置換されていてもよいＣ６〜Ｃ１８アリール、および置換されていてもよいＣ１〜Ｃ１８ヘテロアリールからなる群より独立して選択される、実施態様２２〜４４のいずれかに記載の方法。
［実施態様４６］
前記第１の分子が、
【化４４】
2020530039.tif 000021
からなる群より選択される式Ｉの部分を含む、実施態様２２〜４５のいずれか記載の方法。
［実施態様４７］
前記第２の分子が、（１１−メルカプトウンデシル）−Ｎ、Ｎ、Ｎ−トリメチルアンモニウムブロミド、（１１−メルカプトウンデシル）ヘキサ（エチレングリコール）、（１１−メルカプトウンデシル）テトラ（エチレングリコール）、１−（１１−メルカプトウンデシル）イミダゾール、１−メルカプト−２−プロパノール、１１−（１Ｈ−ピロール−１−イル）ウンデカン−１−チオール、１１−（フェロセニル）ウンデカンチオール、１１−アミノ−１−ウンデカンチオール塩酸塩、１１−アジド−１−ウンデカンチオール、１１−メルカプト−１−ウンデカノール、１１−メルカプトウンデカンアミド、１１−メルカプトウンデカン酸、１１−メルカプトウンデシルヒドロキノン、１１−メルカプトウンデシルホスホン酸、１２−メルカプトドデカン酸、１６−アミノ−１−ヘキサデカンチオール塩酸塩、１６−メルカプトヘキサデカンアミド、１６−メルカプトヘキサデカン酸、３−アミノ−１−プロパンチオール塩酸塩、３−クロロ−１−プロパンチオール、３−メルカプト−１−プロパノール、３−メルカプトプロピオン酸、４−メルカプト−１−ブタノール、６−（フェロセニル）ヘキサンチオール、６−アミノ−１−ヘキサンチオール塩酸塩、６−メルカプト−１−ヘキサノール、６−メルカプトヘキサン酸、８−アミノ−１−オクタンチオール塩酸塩、８−メルカプト−１−オクタノール、８−メルカプトオクタン酸、９−メルカプト−１−ノナノール、トリエチレングリコールモノ−１１−メルカプトウンデシルエーテル、１−メルカプトコハク酸、システイン残基を有するペプチド、システイン残基を有するタンパク質、システアミン、１−チオヘキシトール、ポリ（エチレングリコール）２−メルカプトエチルエーテル酢酸、ポリ（エチレングリコール）メチルエーテルチオール、１−チオグリセロール、２−ナフタレンチオール、ビフェニル−４−チオール、３−アミノ−１，２，４−トリアゾール−５−チオール、５−（トリフルオロメチル）ピリジン−２−チオール、１−［２−（ジメチルアミノ）エチル］−１Ｈ−テトラゾール−５−チオール、１−プロパンチオール、１−ブタンチオール、１−ペンタンチオール、１−ヘキサンチオール、１−オクタンチオール、３，３，４，４，５，５，６，６，７，７，８，８，８−トリデカフルオロ−１−オクタンチオール、およびγ−Ｇｌｕ−Ｃｙｓからなる群より選択される、実施態様２２および２４〜４６のいずれかに記載の方法。
［実施態様４８］
前記第２の分子が、ジチオール化合物、トリチオール化合物、テトラチオール化合物、およびチオマーからなる群より選択される、実施態様２２および２４〜４６のいずれかに記載の方法。
［実施態様４９］
前記第２の分子が、ジチオール化合物、トリチオール化合物、テトラチオール化合物、ヘキサチオール化合物、およびオクタチオール化合物からなる群より選択される、実施態様２２および２４〜４６のいずれかに記載の方法。
［実施態様５０］
前記第２の分子が、ＤＴＴ、１，２−エタンジチオール、１，３−プロパンジチオール、１，４−ブタンジチオール、１，５−ペンタンジチオール、１，６−ヘキサンジチオール、１，７−ヘプタンジチオール、１，８−オクタンジチオール、１，９−ノナンジチオール、１、１０−デカンジチオール、１，１１−ウンデカンジチオール、１，１２−ドデカンジチオール、１，１３−トリデカンジチオール、１，１４−テトラデカンジチオール、１，１６−ヘキサデカンジチオール、ＤＴＢＡ、テトラ（エチレングリコール）ジチオール、ヘキサ（エチレングリコール）ジチオール、２−メルカプトエチルエーテル、２，２’−チオジエタンチオール、２，２’−（エチレンジオキシ）ジエタンチオール、プロパン−１，２，３−トリチオール、トリメチロールプロパントリス（２−メルカプトアセタート）、トリメチロールプロパントリス（３−メルカプトアセタート）、３，３’，３”−（（（（１，３，５−トリアジン−２，４、６−トリイル）トリス（オキシ））トリス（プロパン−３，１−ジイル））トリス（スルファンジイル））トリス（プロパン−１−チオール）、４，４’，４”−（（（（１，３、５−トリアジン−２，４，６−トリイル）トリス（オキシ））トリス（プロパン−３，１−ジイル））トリス（スルファンジイル））トリス（ブタン−１−チオール）、ペンタエリスリチルテトラチオール、ペンタエリスリトールテトラキス（３−メルカプトプロピオナート）、ジスルフィド結合を有するペプチド、およびジスルフィド結合を有するタンパク質からなる群より選択される、実施態様２２、２４〜４６、４８、および４９のいずれかに記載の方法。
［実施態様５１］
前記第２の分子が、ポリ（エチレングリコール）ジチオール、４ａｒｍ−ＰＥＧ２Ｋ−ＳＨ、４ａｒｍ−ＰＥＧ５Ｋ−ＳＨ、４ａｒｍ−ＰＥＧ１０Ｋ−ＳＨ、４ａｒｍ−ＰＥＧ２０Ｋ−ＳＨ、４アームポリ（エチレンオキシド）チオール末端、８ａｒｍ−ＰＥＧ１０Ｋ−ＳＨ（ヘキサグリセロールコア）、８ａｒｍ−ＰＥＧ１０Ｋ−ＳＨ（トリペンタエリスリトールコア）、８ａｒｍ−ＰＥＧ２０Ｋ−ＳＨ（ヘキサグリセロールコア）、８ａｒｍ−ＰＥＧ２０Ｋ−ＳＨ（トリペンタエリスリトールコア）、および８アームポリ（エチレンオキシド）チオール末端からなる群より選択される、実施態様２２、２４〜４６、４８、および４９のいずれかに記載の方法。
［実施態様５２］
前記第２の分子が、ジスルフィド結合を有するペプチドまたはジスルフィド結合を有するタンパク質である、実施態様２４〜４６、４８、および４９のいずれかに記載の方法。
［実施態様５３］
前記第２の分子が、ＳＯＤ１変異体、ＤＪ−１変異体、エフェクターカスパーゼ、およびＩｓｃＵからなる群より選択されるジスルフィド結合を有するタンパク質である、実施態様５２に記載の方法。
［実施態様５４］
前記第２の分子がｆＡＬＳ−ＳＯＤ１変異体である、実施態様５３に記載の方法。
［実施態様５５］
基材およびコーティング材を含む組成物であって、前記コーティング材は、複数の式Ｉの部分を含む第１の単分子層を含み：
【化４５】
2020530039.tif 000022
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
前記コーティング材は前記基材に共有結合している、組成物。
［実施態様５６］
前記コーティング材が、式Ｉの部分と少なくとも１つのチオール官能基を含む複数の第１のモノマーとから誘導されるポリマーを含む第１の二分子層を含み、前記複数の式Ｉの部分のＳまたはＳｅ原子と前記第１のモノマーの遊離チオール基との間に複数の共有結合が形成される、実施態様５５に記載の組成物。
［実施態様５７］
前記コーティング材が、前記複数の式Ｉの部分の還元形態を含む第２の単分子層を含む、実施態様５６に記載の組成物。
［実施態様５８］
前記コーティング材が、複数の金属イオンにキレートした前記第２の単分子層の複数の金属キレート基を含む第２の二分子層を含む、実施態様５７に記載の組成物。
［実施態様５９］
前記複数の金属キレート基がＳ原子である、実施態様５８に記載の組成物。
［実施態様６０］
前記複数の金属キレート基がＳｅ原子である、実施態様５８に記載の組成物。
［実施態様６１］
前記複数の金属イオンが複数の金属カチオンである、実施態様５８〜６０のいずれかに記載の組成物。
［実施態様６２］
前記金属カチオンが＋１の電荷を有する、実施態様６１に記載の組成物。
［実施態様６３］
前記金属カチオンがＡｇまたはＡｕのカチオンである、実施態様６２に記載の組成物。
［実施態様６４］
前記金属カチオンが＋２の電荷を有する、実施態様６１に記載の組成物。
［実施態様６５］
前記金属カチオンが、Ｃａ、Ｃｄ、Ｃｏ、Ｃｒ、Ｃｕ、Ｅｒ、Ｆｅ、Ｈｇ、Ｍｇ、Ｍｎ、Ｎｂ、Ｎｉ、Ｐｂ、Ｐｄ、Ｓｃ、Ｓｎ、Ｓｒ、Ｖ、またはＺｎのカチオンである、実施態様６４に記載の組成物。
［実施態様６６］
前記金属カチオンが＋３の電荷を有する、実施態様６１に記載の組成物。
［実施態様６７］
前記金属カチオンが、Ａｕ、Ｃｅ、Ｄｙ、Ｅｒ、Ｅｕ、Ｆｅ、Ｇｄ、Ｈｏ、Ｌａ、Ｌｕ、Ｎｂ、Ｎｄ、Ｐｍ、Ｐｒ、Ｓｍ、Ｔｂ、Ｔｍ、またはＹｂのカチオンである、実施態様６６に記載の組成物。
［実施態様６８］
前記コーティング材が、複数の金属イオンにキレートした複数の第３の分子をさらに含む三分子層を含み、前記第３の分子は式Ｉの部分を含む、実施態様５８〜６７のいずれかに記載の組成物：
【化４６】
2020530039.tif 000023
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する。
［実施態様６９］
前記第１の単分子層が、
【化４７】
2020530039.tif 000024
からなる群より選択される複数の部分を含む、実施態様５５〜６８のいずれかに記載の組成物。
［実施態様７０］
細胞膜を横切って目的分子を輸送する方法であって、
（ａ）式Ｉの部分を含む官能基化された目的分子を提供する： 
【化４８】
2020530039.tif 000025
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
（ｂ）式Ｉの部分が１つまたは複数の細胞膜輸送タンパク質に可逆的に結合する条件下で、目的細胞を前記官能基化された目的分子と接触させ、
それによって細胞膜を横切る目的分子の輸送を促進させる
ことを含む方法。
［実施態様７１］
前記官能基化された分子が、
【化４９】
2020530039.tif 000026
からなる群より選択される式Ｉの部分を含む、実施態様７０に記載の方法。
［実施態様７２］
ケラチン含有物質を処理する方法であって、
ｉ）複数のジスルフィド結合を含むケラチン含有物質サンプルである複数の第１のモノマーを提供する；
ｉｉ）前記ケラチン含有物質サンプルに、約０．１質量％〜約１５質量％の濃度の還元剤を含む混合物を所定の期間適用し、それによって複数の遊離チオール基を含む還元ケラチン含有物質サンプルを生成する；
ｉｉｉ）式Ｉの部分を含む第１の架橋剤を前記還元ケラチン含有物質サンプルに適用し：
【化５０】
2020530039.tif 000027
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
それによって遊離チオール基と第１の架橋剤との間に複数の共有結合を形成する
ことを含む方法。
［実施態様７３］
前記還元剤が、チオグリコール酸アンモニウム、Ｌ−システイン、グルタチオン、アスコルビン酸、β−メルカプトエタノール、２−メルカプトエチルアミン、２−メルカプトエチルアミン塩酸塩、ジチオスレイトール（ＤＴＴ）、チオ乳酸、チオサリチル酸、トリス−２−カルボキシエチルホスフィン塩酸塩（ＴＣＥＰ）、次亜硫酸ナトリウム、チオ硫酸ナトリウム、二亜硫酸カリウム、二亜硫酸ナトリウム、硫酸水素ナトリウム、亜硫酸水素ナトリウム、亜硫酸水素アンモニウム、チオグリコール酸、チオグリコール酸カルシウム、チオグリコール酸カリウム、チオグリコール酸ナトリウム、システイン塩酸塩、チオ乳酸アンモニウム、チオグリセリン、メルカプトプロピオン酸、チオグリコール酸グリセリルおよびジチオールブチルアミン（ＤＴＢＡ）からなる群より選択される、実施態様７２に記載の方法。
［実施態様７４］
ケラチン含有物質を処理する方法であって、
ｉ）複数のジスルフィド結合を含むケラチン含有物質サンプルである複数の第１のモノマーを提供する；
ｉｉ）前記ケラチン含有物質サンプルに、式Ｉの部分を含む第１の架橋剤を含有する混合物を所定の期間適用し：
【化５１】
2020530039.tif 000028
式中、
Ｗは、ＳおよびＳｅからなる群より独立して選択され；
Ｙは、Ｓ、Ｓｅ、Ｓ（Ｏ）、Ｓｅ（Ｏ）、Ｓ（Ｏ）２およびＳｅ（Ｏ）２からなる群より独立して選択され；
ＸはＷおよびＹと一緒になって、置換または非置換の３〜１０員の複素環を形成する；
それによって、複数の遊離チオール基を形成し、それが第１の架橋剤と反応して遊離チオール基と第１の架橋剤との間に複数の共有結合を形成する
ことを含む方法。
［実施態様７５］
前記ケラチン含有物質が、毛髪、眉毛、まつげ、指の爪、および足の爪からなる群より選択される、実施態様７２〜７４のいずれかに記載の方法。
［実施態様７６］
前記ケラチン含有物質が毛髪である、実施態様７２〜７４のいずれかに記載の方法。